(57)【要約】  本発明は、工具を用いなければ取外作業が行えず、かつ、工具を用いれば取外作業が容易に行えるスピーカ固定具を提供することを目的としている。  本発明にかかるスピーカ固定具１は、スピーカ側に配設されるスピーカ側部品２と、壁側に配設される壁側部品３とを備えている。スピーカ側部品２が壁側部品３に対して第１方向にスライドすることで壁側部品３に取り付けられ、スピーカ側部品２が壁側部品３に対して第２方向にスライドすることで壁側部品３から取り外される。スピーカ側部品１は移動防止部材５と移動防止部材５に連結する軸部材６とをさらに有している。移動防止部材５は軸部材６を回すことにより軸部材６を回転軸として回転する。また、軸部材６の外端がねじ頭状またはボルト頭状である。さらに、スピーカ側部品２が壁側部品３に取り付けられたとき、移動防止部材５の回転軌道の第２方向に壁側部品３が位置する。
2009019778.tif 000002
【特許請求の範囲】
【請求項１】
スピーカ側に配設されるスピーカ側部品と、壁側に配設される壁側部品とを備え、前記スピーカ側部品が前記壁側部品に対して第１方向にスライドすることで前記壁側部品に取り付けられ、前記スピーカ側部品が前記壁側部品に対して第２方向にスライドすることで前記壁側部品から取り外されるスピーカ固定具であって、
前記スピーカ側部品は移動防止部材と該移動防止部材に連結する軸部材とをさらに有し、前記移動防止部材は前記軸部材を回すことにより前記軸部材を回転軸として回転し、前記軸部材の外端がねじ頭状またはボルト頭状であって、前記スピーカ側部品が前記壁側部品に取り付けられたとき、前記移動防止部材の回転軌道の前記第２方向に前記壁側部品が位置することを特徴とする、スピーカ固定具。
【請求項２】
前記スピーカ側部品は、前記移動防止部材を収容するための収容部をさらに有し、前記スピーカ側部品が前記壁側部品に取り付けられたとき、前記軸部材を一の方向に回して前記移動防止部材を前記収容部の内面に当接させると前記移動防止部材の前記第２方向に前記壁側部品が位置し、前記軸部材を他の方向に回して前記移動防止部材を前記収容部の内面に当接させると前記移動防止部材の前記第２方向に前記壁側部品が位置しないことを特徴とする請求項１に記載のスピーカ固定具。
【請求項３】
前記軸部材は前記移動防止部材を貫くように前記移動防止部材と連結し、前記軸部材及び前記移動防止部材は雄ねじと雌ねじの関係であり、前記移動防止部材に対して前記軸部材を前記一の方向に回すと、前記移動防止部材は前記軸部材に対して前記第２方向側へ移動することを特徴とする、請求項２に記載のスピーカ固定具。
【請求項４】
前記スピーカ側部品は前記収容部の周囲に位置する外周部をさらに有し、前記外周部の先端位置は、前記移動防止部材の立上がり時の先端位置よりも高く、前記一の方向は左方向であることを特徴とする、請求項２又は３に記載のスピーカ固定具。
【請求項５】
スピーカ側に配設されるスピーカ側部品と、壁側に配設される壁側部品とを備え、前記スピーカ側部品が前記壁側部品に対して第１方向にスライドすることで前記壁側部品に取り付けられ、前記スピーカ側部品が前記壁側部品に対して第２方向にスライドすることで前記壁側部品から取り外されるスピーカ固定具であって、
前記壁側部品は移動防止部材と該移動防止部材に連結する軸部材とをさらに有し、前記移動防止部材は前記軸部材を回すことにより前記軸部材を回転軸として回転し、前記軸部材の外端がねじ頭状またはボルト頭状であって、前記スピーカ側部品が前記壁側部品に取り付けられたとき、前記移動防止部材の回転軌道の前記第１方向に前記スピーカ側部品が位置することを特徴とする、スピーカ固定具。
【請求項６】
請求項１乃至５のうちいずれか一の項に記載のスピーカ固定具を備えたことを特徴とするスピーカ。
【発明の詳細な説明】
【技術分野】
【０００１】
本発明は、スピーカを壁などに固定するスピーカ固定具及びスピーカ固定具を備えたスピーカに関する。
【背景技術】
【０００２】
スピーカを壁などに固定するためのスピーカ固定具は、従来から種々提案されている（例えば、特許文献１及び２参照）。このうち、取り付け及び取り外しが容易なスピーカ固定具として、ロック機構を有するものがある。このロック機構を有するスピーカ固定具は、壁側部品とスピーカ側部品とから構成されており、壁に固定された壁側部品にスピーカの背面に配設されたスピーカ側部品を取り付けることを基本的な構造としている。そして、壁側部品は、側面から突出する固定片を有しており、この固定片はスピーカ側部品に向かって付勢されている。また、スピーカ側部品は、固定片に対応する位置に固定孔を有している。そのため、スピーカ側部品が壁側部品の所定位置にくると、固定片が固定孔に入り込んで、スピーカ側部品が壁側部品から抜けなくなる。つまり、スピーカ側部品はロックされる。逆に、固定片に連結された解除レバーを内側へスライドさせて固定片を固定孔から抜き、その状態でスピーカ側部品を壁側部品から取り外せば、スピーカを壁から取り外すことができる。
【特許文献１】特開昭５９−２１５１９５号公報
【特許文献２】特開昭６０−２００６９７号公報
【発明の開示】
【発明が解決しようとする課題】
【０００３】
上記のような構成を有するスピーカ固定具は、解除レバーをスライドさせることで容易にロックを解除すことができる。ところがこのような構成の場合、スピーカがある程度高い位置に固定されていても、棒などを利用することで簡単に取り外すことができることになり、スピーカを取り外すといったいたずらや、スピーカの盗難も簡単に行われてしまうことになる。【０００４】
一方、いたずらや盗難を防止するには、抜け防止用の金具を用いる等して、スピーカ全体をしっかりと壁に固定する方法も考えられるが、この場合は取付作業および取外作業に大きな負担がかかることになる。【０００５】
そこで本発明は、工具を用いなければ取外作業が行えず、かつ、工具を用いれば取外作業が容易に行えるスピーカ固定具を提供することを目的としている。
【課題を解決するための手段】
【０００６】
本発明は上記のような事情に鑑みてなされたものであり、本発明にかかるスピーカ固定具は、スピーカ側に配設されるスピーカ側部品と、壁側に配設される壁側部品とを備え、前記スピーカ側部品が前記壁側部品に対して第１方向にスライドすることで前記壁側部品に取り付けられ、前記スピーカ側部品が前記壁側部品に対して第２方向にスライドすることで前記壁側部品から取り外されるスピーカ固定具であって、前記スピーカ側部品は移動防止部材と該移動防止部材に連結する軸部材とをさらに有し、前記移動防止部材は前記軸部材を回すことにより前記軸部材を回転軸として回転し、前記軸部材の外端がねじ頭状またはボルト頭状であって、前記スピーカ側部品が前記壁側部品に取り付けられたとき、前記移動防止部材の回転軌道の前記第２方向に前記壁側部品が位置することを特徴とする。
ここで、上記の「回転軌道」とは、移動防止部材全体が回転時に描く厚みのある扇状の軌道をいう。【０００７】
上記構成によれば、移動防止部材の第２方向に壁側部品が位置するように移動防止部材を回転させることで、スピーカ側部品が壁側部品に対して移動するのを防止（ロック）することができ、また、この移動防止部材を回転させるには工具が必要となる。【０００８】
また、上記のスピーカ固定具において、前記スピーカ側部品は、前記移動防止部材を収容するための収容部をさらに有し、前記スピーカ側部品が前記壁側部品に取り付けられたとき、前記軸部材を一の方向に回して前記移動防止部材を前記収容部の内面に当接させると前記移動防止部材の前記第２方向に前記壁側部品が位置し、前記軸部材を他の方向に回して前記移動防止部材を前記収容部の内面に当接させると前記移動防止部材の前記第２方向に前記壁側部品が位置しない構成にしてもよい。【０００９】
かかる構成によれば、角度を気にせずに軸部材をいずれかの方向に回すことによって、スピーカ側部品の移動防止および解除の操作を行うことができる。【００１０】
また、上記のスピーカ固定具において、前記軸部材は前記移動防止部材を貫くように前記移動防止部材と連結し、前記軸部材及び前記移動防止部材は雄ねじと雌ねじの関係であり、前記移動防止部材に対して前記軸部材を前記一の方向に回すと、前記移動防止部材は前記軸部材に対して前記第２方向へ移動するようにしてもよい。【００１１】
かかる構成によれば、軸部材を一の方向に回して移動防止部材を収容部の内面に当接させた状態でさらに軸部材を一の方向に回すと、移動防止部材が軸部材に対して第２方向側へ移動して壁側部品に当接する。これにより、壁側部品は移動防止部材によって狭持されるため、スピーカ側部品と壁側部品とを強固に連結することができる。【００１２】
また、上記のスピーカ固定具において、前記スピーカ側部品は前記収容部の周囲に位置する外周部をさらに有し、前記外周部の先端位置は、前記移動防止部材の立上がり時の先端位置よりも高く、前記一の方向は左方向としてもよい。【００１３】
かかる構成によれば、スピーカ部品の移動を防止するための軸部材を回す方向と、通常のねじを締める方向とが異なることになり、さらに、外部からでは移動防止部材の動きを見ることができない。よって、いたずらや盗難を目的とする者がスピーカを外す際に錯覚し、これにより、スピーカが外されるのを防止することができる。
さらに、本発明にかかるスピーカ固定具は、スピーカ側に配設されるスピーカ側部品と、壁側に配設される壁側部品とを備え、前記スピーカ側部品が前記壁側部品に対して第１方向にスライドすることで前記壁側部品に取り付けられ、前記スピーカ側部品が前記壁側部品に対して第２方向にスライドすることで前記壁側部品から取り外されるスピーカ固定具であって、前記壁側部品は移動防止部材と該移動防止部材に連結する軸部材とをさらに有し、前記移動防止部材は前記軸部材を回すことにより前記軸部材を回転軸として回転し、前記軸部材の外端がねじ頭状またはボルト頭状であって、前記スピーカ側部品が前記壁側部品に取り付けられたとき、前記移動防止部材の回転軌道の前記第１方向に前記スピーカ側部品が位置することを特徴とする。
かかる構成のように、壁側部品が移動防止部材や軸部材を有する場合であっても、上記と同様の効果を得ることができる。【００１４】
さらに、本発明にかかるスピーカは、上記のスピーカ固定具を備えたことを特徴とする。
【発明の効果】
【００１５】
以上の説明から明らかなように、本発明によれば、移動防止部材の第２方向に壁側部品が位置するように移動防止部材を回転させることで、スピーカ側部品が壁側部品に対して移動するのを防止（ロック）することができ、また、この移動防止部材を回転させるには工具が必要となる。よって、本発明によれば、工具を用いなければ取外作業が行えず、かつ、工具を用いれば取外作業が容易に行えるスピーカ固定具を提供することができる。
【図面の簡単な説明】
【００１６】
【図１】本願発明に係るスピーカ固定具の斜視図である。
【図２】本願発明に係る収容部の内部を下方から見た模式図である。
【図３】本願発明に係る壁側部品を斜め前方から見た図である。
【図４】本願発明に係るスピーカ側部材と壁側部品を重ねた状態の図である。
【図５】本願発明に係る他の実施形態を示した図である。
【発明を実施するための最良の形態】
【００１７】
以下、本発明に係るスピーカ固定具の実施形態について図を参照して説明する。【００１８】
はじめに本実施形態に係る固定具１の構成について説明する。図１は、本実施形態に係るスピーカ固定具１の斜視図である。図１に示すように、本実施形態に係るスピーカ固定具１は、スピーカ側部品２と、壁側部品３とから主に構成されている。以下、両部品について順に説明する。なお、説明中に使用する上下左右は、スピーカＳの背面側から見た上下左右である。【００１９】
スピーカ側部品２は、スピーカ側に配設される部品である。本実施形態では、スピーカ側部品２は、スピーカＳの背面と一体になっている。また、図１に示すように、スピーカ側部品２は、被挿入部４と、移動防止部材５と、軸部材６と、収容部７と、外周部８とを有している。これらの構成４〜８の詳細については次の通りである。【００２０】
被挿入部４は、壁側部品３の挿入部９が挿入される部分である。図１に示すように、被挿入部４は、スピーカＳ背面のほぼ中央に位置しており、大きく窪んでいる部分である。被挿入部４は、その底面１０が傾斜しており、上方に向かうに従って窪みが大きくなっている。被挿入部４からは、底面１０に平行な同一平面上に３本の金属板１１〜１３が突出している。これらの金属板１１〜１３は、スピーカＳの入力端子であって、スピーカＳから出力する音に関する信号を取得する部分である。【００２１】
移動防止部材５は、壁側部品３がスピーカ側部品２に対して移動する（スピーカ側部品２が壁側部品３に対して移動する）のを防止する部材である。図１に示すように、移動防止部材５は被挿入部４よりも下方に位置しており、後述の軸部材６と連結している。移動防止部材５は、軸部材６を回転軸として回転する。そして、防止部材５が回転することにより描く回転軌道は、軸部材６を要（中心）とする扇状の軌道になる。図１は、移動防止部材５が立ち上がった状態を示している。移動防止部材５が立ち上がると、移動防止部材５の先端は被挿入部４の開口面よりも後方（背面方向）に突き出た状態となる。なお、移動防止部材５と軸部材６とは、雄ねじと雌ねじの関係になっている。そして、両者はねじ部分において隙間なく結合しており、軸部材６を回転させると回転摩擦により移動防止部材５も回転する。【００２２】
軸部材６は、移動防止部材５を操作するための部材である。図１に示すように、軸部材６は、上下方向に伸延しており、移動防止部材５と連結している。軸部材６は移動防止部材５の上下方向両側において軸支されているため回転することができ、この回転に伴って移動防止部材５も回転する。さらに、軸部材６の下端（外端）１４はねじ頭状になっており、上端（内端）１５は中央付近より径の大きい大径部となっている。これらは全体がかたく固定されており、ねじ頭（下端）１４を回すことで大径部１５を含む全体が一体として回転する。なお、上述のように、軸部材６の移動防止部材５との連結部分は、雄ねじとなっている。このねじは、雄ねじ（軸部材６）を右に回すと、雄ねじ（軸部材６）が雌ねじ（移動防止部材５）に対して前進する「右ねじ」となっている。言い換えれば、雄ねじ（軸部材６）を右に回すと、雌ねじ（移動防止部材５）が雄ねじ（軸部材６）に対して後退する。また、軸部材６の下端１４はねじ頭であるため、軸部材６を回すにはドライバー等の工具が必要となり、ひいては移動防止部材５を回転させるためには工具が必要となる。なお、軸部材６の下端１４は、ねじ頭状でなくボルト頭状としてもよい。このような構成であっても、工具を用いなければ移動防止部材５を回転させることができない。また、ねじ頭は一般的なプラス（＋）の形状でなく、六角や特殊な形状としても良い。そうすることにより、一般的な工具では、移動防止部材５を回転させることができないような構成とすることができる。【００２３】
収容部７は、移動防止部材５を収容するための部分である。図１に示すように、収容部７は被挿入部４の下方に位置しており、凹状の形状を有している。収容部７の内部では、上下方向に軸部材６が伸延しており、移動防止部材５はこの軸部材６を回転軸として、収容部７の内部で回転する。図２は、収容部７の内部を下方から見た模式図である。図２に示すように、収容部７は左右方向の幅が移動防止部材５の長手方向の長さよりも大きい。また、軸部材６は収容部７の中央よりも左側に位置している。そのため、図２（ａ）に示すように、移動防止部材５が右方向に倒れているときは、移動防止部材５は全体が収容部７に収まる。ところが、図２（ｂ）に示すように、移動防止部材５が左側に倒れたときは、収容部７に収まらず、収容部７から大きくはみ出る。【００２４】
外周部８は、収容部７の周囲に位置する部分である。図１に示すように、外周部８のうち、右方８ａ、および左方８ｂの高さ位置は、移動防止部材５の立上がり時の先端位置よりも十分高い。そして、外周部８のうち下方８ｃは、収容部７から続く斜面によって徐々に高くなっており、その先端位置は移動防止部材５の立上がり時の先端位置よりもわずかに高くなっている。つまり、収容部７を右方、左方、及び下方から見た場合には、移動防止部材５の動きを見ることができない。なお、収容部７の上方には壁側部品３が位置することになるため、上方からも移動防止部材５の動きは見ることができない。以上が、スピーカ側部品２の各構成４〜８の説明である。【００２５】
壁側部品３は、壁に配設される（固定される）部材である。図３は、壁側部品３を斜め前方から見た図である。図３に示すように、壁側部品３は、挿入部９を有している。挿入部９は、スピーカ側部品２の被挿入部４に挿入される部材であって、その幅は被挿入部４の幅よりもわずかに小さくなっている。また、挿入部９は、前方に突出した形状を有しており、前面１５が傾斜しているため、上方に向かうに従って前方に大きく突出している。なお、挿入部９の前面１５の傾斜角度と、被挿入部４の底面１０の傾斜角度は同一である。さらに、挿入部９の上面には、３つの金属板挿入穴１６〜１８が形成されており、各金属板挿入穴１６〜１８の位置は、被挿入部４の金属板１１〜１３の位置に対応している。各金属板挿入穴１６〜１８には、壁側から信号ライン（図示せず）が連結される。また、壁側部品３は、壁に固定する際に使用する固定ねじ用のねじ孔１９を複数有している。【００２６】
以上が、スピーカ側部品２および壁側部品３の構成についての説明であるが、両部品２、３を重ねた場合は図４のような位置関係となる。図４は、スピーカ側部品２と壁側部品３を重ねた状態の図である。図４に示すように、スピーカ側部品２と壁側部品３を重ねた状態では、収容部７は壁側部品３の下方に位置し、収容部７と壁側部品３とが一部重なっている。また、移動防止部材５が立ち上がった状態では、その先端が壁側部品３の前面よりも外側（後方側）に位置している。さらに、壁側部品３にスピーカ部品２が取り付けられた状態において、移動防止部材５の回転軌道の前方斜め上方（第２方向）に壁側部品３が位置している。【００２７】
次に、本実施形態にかかるスピーカ固定具１の使用方法を説明する。【００２８】
はじめに、壁側部品３を壁に固定する。具体的には、壁の内側まで延びる信号ライン（図示せず）を壁側部品３の背面の結合部分２０に結合し、その状態で固定ねじ（図示せず）を用いて壁側部品３を壁に固定する。【００２９】
その後、スピーカ側部品２を壁側部品３に取り付ける。具体的には、壁側部品３の挿入部９をスピーカ側部品２の被挿入部４へ挿入する。このとき、移動防止部材５を右側に倒して収容部７に収容された状態にする。この状態で、スピーカ側部品２を壁側部品３に対して後方斜め下方（第１方向）にスライドさせる。挿入部９の前面１５と被挿入部９の底面１０とが接するようにスライドすれば、同時に被挿入部４から突出する金属部材１１〜１３が、挿入部９の金属部材挿入穴１６〜１８に挿入される。【００３０】
最後に、移動防止部材５を用いてスピーカ側部品２が壁側部品から抜けないようにロックする。具体的には、スピーカ側部品２の下方からドライバーを用いて軸部材６を左へ約９０度回す。これにより、移動防止部材６の前方斜め上方（第２方向）に壁側部品３が位置することになり、スピーカ側部品３が前方斜め上方（第２方向）に移動するのを防止し、スピーカＳを壁から取り外すことができなくなる。また、必要により、軸部材６をさらに左へ回す。上述のように、移動防止部材５と軸部材６とは、右ねじの関係になっているため、移動防止部材５を収容部７の内面に接した状態でさらに軸部材６を左に回すと、移動防止部材５は軸部材６に対して上方に（前方斜め上方側）進む。これにより、移動防止部材５を壁側部品３の下端部に強く当接させることができる。よって、スピーカ側部品２を壁側部品３にしっかりと固定することができ、スピーカに「びびり」が発生するのを抑えることができる。【００３１】
一方、スピーカＳを壁から取り外すには、固定する場合とは逆に、軸部材６を右へ回して移動防止部材５を収容部７に収容する。これによってロックが解除される。そして、固定時とは逆方向である前方斜め上方（第２方向）にスピーカ側部品２を壁側部品３に対してスライドさせれば、スピーカＳを壁から取り外すことができる。【００３２】
以上が本実施形態に係るスピーカ固定具１の構成とスピーカ固定具１の使用方法である。このように、本実施形態に係るスピーカ固定具１によれば、ドライバーを用いることで、非常に簡単な作業でスピーカＳの壁への固定および取り外しを行うことができる。また、スピーカＳの取り外しにはドライバーが必要であるため、いたずら目的でスピーカＳを取り外すのを防止することができる。また、本実施形態によれば、ロックを解除するには軸部材６を右に回すことになるが、これは通常のねじをゆるめる方向とは逆である。これに加え、外周部８により移動防止部材５がどのような動きをするのか外部からでは見えない。そのため、スピーカＳの取り外しについて、いたずら目的の者に錯覚を起こさせ、スピーカＳが取り外されるのを防止することができる。【００３３】
なお、以上では、スピーカ側部品２と壁側部品３を重ねたとき、収容部７が壁側部品３と重なる場合について説明したが（図４参照）、収容部７が壁側部品３と重ならないような構成にしてもよい。かかる構成によれば、スピーカ側部品２と壁側部品３を重ねたとき、壁側部品３と移動防止部材５の間に隙間が生じる。そのため、壁側部品３の挿入部９がスピーカ側部品２の被挿入部４へ十分奥まで挿入していない場合であっても、移動防止部材５は壁側部品３に引っ掛かることなく回転する（立ち上がる）ことができる。このような構成は、挿入部９と被挿入部４のはめあいがきつい場合には大変有利である。【００３４】
また、以上では、スピーカ側部品２と壁側部品３を重ねたとき、移動防止部材５が壁側部品３の下方に位置する場合について説明したが、移動防止部材５が壁側部品３の内部に位置するようにしてもよい。この場合、壁側部品３は移動防止部材５に対応する位置に移動防止部材５が入り込むような部分を設ける。かかる構成によれば、外周部８の先端をあまり高くせずとも移動防止部材５を外部から見えないようにすることができる。【００３５】
また、以上では、壁側部品３が挿入部９を有し、スピーカ側部品２が被挿入部４を有する場合について説明したが、壁側部品３が被挿入部４を有し、スピーカ側部品２が挿入部９を有するようにしてもよい。同様に、スピーカ側部品２が移動防止部材５を有する場合について説明したが、壁側部品３が移動防止部材５を有するようにしてもよい。いずれの場合であっても、上記の実施形態で得られた効果を得ることができる。
また、以上では、スピーカ側部品２が壁側部品３に対して後方斜め下方にスライドすることで壁側部品３に取り付けられ、前方斜め上方にスライドすることで壁側部品３から取り外される場合について説明したが、スピーカ側部品２を後方へ（正面から）スライドすすることで壁側部品３に取り付けられ、前方へ（正面へ）スライドさせることで壁側部品３から取り外されるような構成としてもよい。この場合、移動防止部材５ａを図５に示すような構成にすることで実施することができる。ここで、図５は、移動防止部材５ａを下方から見た模式図であって、（ａ）が右側に倒れた状態であり、（ｂ）が立ち上がった状態である。図５に示すように、移動防止部材５ａの先端は伸延方向に対して直角に突出する部分を有する。こうすることにより、スピーカ側部品２ａを壁側部品３ｂに対して前方にスライドしたとき、この突出する部分が壁側部品３ａに引っ掛かることになる。よって、移動防止部材５ａは、スピーカ側部品２ａが壁側部品３ａから取り外されるのを防止する役目を果たすことができる。なお、この場合において、スピーカ側部品２ａを壁側部品３ａから取り外すためにスライドさせる方向は前方であって、スピーカ側部品２ａが壁側部品３ａに取り付けられたとき、移動防止部材５ａの回転軌道の前方に壁側部材３ａが位置することになる。
また、以上では、軸部材６を回すと回転摩擦によって移動防止部材５が立ち上がる場合について説明したが、移動防止部材５がガイドに沿って立ち上がるようにしても良い。具体的には、軸部材６と移動防止部材５の結合部分にある程度の隙間を設け、軸部材６を回すと移動防止部材５が回転することなく上方（回転軸前方）に進むようにする。そして、移動防止部材５が上方（回転軸前方）に進むにつれて立ち上がるような形状のガイドを設ける。かかる構成であっても、上記で説明した実施形態と同様の作用効果を得ることができる。
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００３６】
以上のように、本発明に係るスピーカ固定具は、工具を用いなければ取外作業が行えず、かつ、工具を用いれば取外作業が容易に行えるスピーカ固定具を提供することができる。よって、スピーカの技術分野において有益である。
【図１】
2009019778.tif 000003
【図２】
2009019778.tif 000004
【図３】
2009019778.tif 000005
【図４】
2009019778.tif 000006
【図５】
2009019778.tif 000007
【国際調査報告】
2009019778.tif 000008
2009019778.tif 000009